(57)【特許請求の範囲】
【請求項１】
放射線検出器を内蔵したガイドパイプと、前記放射線検出器の信号ケーブルを導出する電線管と、この電線管の他端を固定する現場盤とを具備する放射線測定装置用ノイズ低減装置において、前記現場盤は、前記現場盤の内面に固定されたフェライトコアボックスと、このフェライトコアボックス内に収納され入口側ケーブル及び出口側ケーブルを有するフェライトコアと、前記出口側ケーブルに順次直列接続する信号増幅器、信号処理器および光ケーブルと、前記信号増幅器と前記信号処理器に接続する低電圧電源と、この低電圧電源に接続された一般接地と、この一般接地に接続されたノイズカットトランスと、このノイズカットトランスに順次直列接続されるＮＦＢおよび端子台を具備すると共に、前記フェライトコアボックス内に収納され前記信号ケーブルと前記入口側ケーブルとを接続するコネクタと、前記現場盤から電気的に絶縁されており且つ前記コネクタを固定する絶縁板と、前記コネクタと前記フェライトコアボックスの間に電気的に接続し前記コネクタを前記現場盤に接地するコンデンサとを更に具備し、前記入口側ケーブルは前記信号ケーブルよりも細く、前記コネクタはサイズダウン変換コネクタであることを特徴とする放射線測定装置用ノイズ低減装置。
【請求項２】
前記現場盤は、前記ＮＦＢおよび前記端子台を収納する金属製遮蔽箱を更に具備することを特徴とする請求項１記載の放射線測定装置用ノイズ低減装置。
【発明の詳細な説明】
【０００１】
【発明の属する技術分野】
本発明は放射線検出器側と盤内の電源側からのノイズによる誤信号の発生と誤警報の発生を防止する放射線測定装置用ノイズ低減装置に関する。
【０００２】
【従来の技術】
放射線測定装置は、放射線計測し、警報を発生するなど重要な機能を有している。一方、放射線測定装置が設置される建屋には、インバータモータなど高利得測定回路系の周波数帯域の高周波ノイズ発生機器が設置されており、その対策が重要となっている。
【０００３】
図３により従来の一般的な放射線測定用ノイズ低減装置を説明する。
図３中、符号１は建屋の仕切壁で、仕切壁１を貫通して放射線検出器２を内蔵したガイドパイプ３の開口端が仕切壁１に固定されている。放射線検出器２には信号ケーブル４が接続され導出されている。仕切壁１にはガイドパイプ３の開口端部を覆うようにしてプルボックス５が取着されている。
【０００４】
プルボックス５には前記信号ケーブル４を導出して案内する電線管６の一端が接続されている。電線管６の他端は盤、例えば現場盤７に設けたフェライトコアボックス８に接続している。フェライトコアボックス８内にはフェライトコア９が収納され、フェライトコア９の入口側ケーブルに信号ケーブル４の他端が接続している。
【０００５】
フェライトコア９の出口側ケーブルは現場盤７内に設置された信号増幅器10に接続している。信号増幅器10の出力側は信号処理器11に接続し、信号処理器11の出力側には光ケーブル12が接続している。
【０００６】
信号増幅器10と信号処理器11は低電圧電源13に接続し、低電圧電源13は専用接地ケーブル14により専用接地ケーブル端子板15を介して専用接地される。また、低電圧電源13はノイズカットトランス（以下、ＮＣＴ）ケーブル16を介してＮＣＴ17に接続している。
【０００７】
ＮＣＴ17には一般接地端子板18を介して一般接地ケーブル19により、一般接地されるとともに、ＮＣＴ17の一次側盤内機器としてノーフューズブレーカ20および端子台21が設けられ、端子台21は現場盤７外の交流100Ｖ電源に接続されている。
【０００８】
従来の放射線測定装置用ノイズ低減装置は上述したように、基本的に二重シールド方式を採用しており、ガイドパイプ３、プルボックス５、電線管６、現場盤７が外側の電気遮蔽体となっている。
【０００９】
放射線検出器２、信号増幅器10、信号処理器11、低電圧電源13などは電気的に現場盤７等から絶縁され、低電圧電源13はＮＣＴ17により一次側、二次側が電気的、ノイズ的に絶縁されている。二重シールドの内側機器は専用接地で接地されている。
【００１０】
ガイドパイプ３、プルボックス５、電線管６および現場盤７は電気的に接続されており、外来ノイズは現場盤７の一般接地19から建屋アースに逃がされ、二重シールドの内側（信号増幅器10、信号処理器11、低電圧電源13）の、高利得回路へのノイズの侵入を防止している。
【００１１】
外側の電気的遮蔽から侵入した外来ノイズはフェライトコアボックス８内のフェライトコア９に信号ケーブル４を巻き込みノイズを低減している。放射線検出器２の信号は信号増幅器10で増幅され、次段の信号処理器11で信号処理され、光信号に変換されて光ケーブル12により制御盤（図示せず）に伝送され、所定のレベルを超えた場合、警報が発生する。
信号ケーブル４以外からの現場盤７へのノイズの侵入としては低電圧電源13側からのノイズの侵入があり、そこで、ＮＣＴ17が使用される。
【００１２】
【発明が解決しようとする課題】
従来の放射線測定装置のノイズ低減装置は信号ケーブル４のノイズ遮蔽能を向上させるため、信号ケーブル４は二重または三重シールドケーブルとなっており、しかもかなり太いものを使用している。したがって、所定のケーブルの曲率半径で必要な巻き数を確保する場合にはフェライトコアボックス８を大きくする必要がある。
【００１３】
また、現場盤７の周囲にフェライトコアボックス８の設置場所がない場合、パソコンのＡＣケーブルに使用されている蓑虫型のフェライトを取着する方法が考えられるが、しかしながら、効率が悪く、フェライトの使用は困難である。
【００１４】
また、信号ケーブル４以外から現場盤７内へのノイズの侵入としてはＡＣ100Ｖ電源側からのノイズの侵入があるが、一般的にはＮＣＴ17またはフィルタなどを設置している。
【００１５】
しかしながら、現場盤７の大きさに制限がある場合、ＮＣＴ17の前段の一次側盤内機器としてのＮＦＢ20、端子台21などが露出部と高利得回路との距離が近く、ＮＣＴ17の前段のノイズが高利得回路（信号増幅器10）に侵入し、誤信号、誤警報の発生の原因となる課題がある。
【００１６】
本発明は上記課題を解決するためになされたもので、放射線検出器側からのノイズと、電源側からのノイズを低減して、ノイズによる誤信号の発生、誤警報の発生を防止することができる放射線測定装置用ノイズ低減装置を提供することにある。
【００１７】
【課題を解決するための手段】
請求項１に係る発明は、放射線検出器を内蔵したガイドパイプと、前記放射線検出器の信号ケーブルを導出する電線管と、この電線管の他端を固定する現場盤とを具備する放射線測定装置用ノイズ低減装置において、前記現場盤は、前記現場盤の内面に固定されたフェライトコアボックスと、このフェライトコアボックス内に収納され入口側ケーブル及び出口側ケーブルを有するフェライトコアと、前記出口側ケーブルに順次直列接続する信号増幅器、信号処理器および光ケーブルと、前記信号増幅器と前記信号処理器に接続する低電圧電源と、この低電圧電源に接続された一般接地と、この一般接地に接続されたノイズカットトランスと、このノイズカットトランスに順次直列接続されるＮＦＢおよび端子台を具備すると共に、前記フェライトコアボックス内に収納され前記信号ケーブルと前記入口側ケーブルとを接続するコネクタと、前記現場盤から電気的に絶縁されており且つ前記コネクタを固定する絶縁板と、前記コネクタと前記フェライトコアボックスの間に電気的に接続し前記コネクタを前記現場盤に接地するコンデンサとを更に具備し、前記入口側ケーブルは前記信号ケーブルよりも細く、前記コネクタはサイズダウン変換コネクタであることを特徴とする。
【００１８】
請求項１に係る発明によれば、盤外からの信号ケーブル、フェライトコアに巻き込まれた信号ケーブルを、金属製フェライトコアボックスに収納しているので、フェライトコアの前段のノイズが盤内に影響しない。また、フェライトコアボックスを盤に電気的に接続することにより、フェライトコア前段のノイズを盤に逃すことができ、高利得の回路系への回りこみが低減し、ノイズによる誤信号の発生、誤警報の発生を防止できる。
【００１９】
また、請求項１に係る発明によれば、フェライトコアボックス内のフェライトコアの入口側と出口側を接続するコネクタは、絶縁板で絶縁されており、入口側は、コンデンサを介して高周波的に接続されている。フェライトコア前段の高周波ノイズ電圧は、コンデンサを介してアースに逃がされ、フェライトによるノイズ低減効果を助ける。フェライト前段のノイズは、盤に逃がすことができ、高利得の回路系への回り込みが低減し、ノイズによる誤信号の発生、誤警報の発生が防止できる。
【００２１】
また、請求項１に係る発明によれば、フェライトコア入口側のコネクタは、ケーブルサイズダウン用変換コネクタとなっており、太い信号ケーブルを細い信号ケーブルに変換することができる。フェライトコアに巻回する信号ケーブルを細くできるため、曲率半径が小さく必要巻き数を確保してもコンパクトに仕上げることができ、設置スペースの合理化が可能となりコンパクトな盤の製作が可能となる。
【００２２】
請求項２に係る発明は、前記現場盤は、前記ＮＦＢおよび前記端子台を収納する金属製遮蔽箱を更に具備することを特徴とする。
請求項２に係る発明によれば、ノイズカットトランスに接続される前記ＮＦＢおよび前記端子を金属遮蔽箱に収納し、ノイズの回り込みを防止し、高利得の回路系への回り込みが低減し、ノイズによる誤信号の発生、誤警報の発生が防止できる。
【００２３】
【発明の実施の形態】
図１および図２により本発明に係る放射線測定装置用ノイズ低減装置の実施の形態を説明する。
なお、図１は本実施の形態の構成を一部ブロックで示す縦断面図で、図２は図１中のＡ部を拡大して示す部分断面図であり、図１および図２中、図３と同一部分には同一符号を付して説明する。
【００２４】
本実施の形態が従来例と異なる点は、図２に示したようにフェライトコアボックス８を現場盤７の内面に取り付け、フェライトコアボックス８内のフェライトコア９の入口側ケーブル９ａと電線管６内の信号ケーブル４の端末部とをサイズダウン変換コネクタ22により接続したことにある。このサイズダウン変換コネクタ22は絶縁板23を貫通して固定され、絶縁板23は固定板24に嵌め込まれ、固定板24はフェライトコアボックス８の内面に固定されている。
【００２５】
サイズダウン変換コネクタ22と固定板24との間にはコンデンサ25が接続されている。フェライトコア９の出口側ケーブル９ｂは接続用コネクタ26に接続し、接続用コネクタ26はフェライトコアボックス８の端部に設けられた絶縁板27を貫通して固定されている。
【００２６】
また、図１に示したように現場盤７内のＮＦＢ20と端子台21とを金属遮蔽箱28に収納し、金属遮蔽箱28とＮＣＴ17とをフレキシブル金属チューブ29により接続したことにある。
【００２７】
すなわち、本実施の形態において、放射線検出器２および信号ケーブル４は建屋の仕切壁１までは、ガイドパイプ３内に収納され、外来ノイズから遮蔽されている。ガイドパイプ３は、仕切壁１から出た位置で、プルボックス５に電気的に接触した形で接続されている。プルボックス５と現場盤７との間は、電気的に接触した形で接続された電線管６内に信号ケーブル４が収納されて、外来電気ノイズから遮蔽されている。
【００２８】
放射線検出器２または信号ケーブル４に遮蔽をかいくぐって侵入したノイズは、信号ケーブル（同軸ケーブル）４の外皮にノイズ電流として流れる。この電流は、フェライトコア９などがない場合、高利得の信号増幅回路に侵入し誤信号の原因となる。従来例では、十分な空間があり、現場盤７の外にフェライトコアボックス８を設けてノイズの侵入を防止している。
【００２９】
本実施の形態では、現場盤７の外側に十分な空間がない場合を対象としている。従って、ノイズ的に汚染された信号ケーブル４は、現場盤７内にノイズを振りまくことを避けるため、現場盤７内入口部に金属板で電気的に遮蔽されたフェライトコアボックス８の領域を作る。
【００３０】
信号ケーブル４は、電気的に現場盤７から絶縁されたサイズダウン変換コネクタ22を介して細い入口側ケーブル９ａに接続され、小さい曲率半径で、フェライトコア９に所定の回数巻き込まれ、コンパクトな形状としている。さらに、全体を金属板製フェライトコアボックス８で囲み込んで、ノイズが現場盤７内に漏れるのを防止している。
【００３１】
フェライトコア９に巻回された信号ケーブルのインダクタンスは約１ｍＨと大きく、高周波ノイズに対して大きなインピーダンスとなり、電圧降下が発生するので、フェライトコア９前段の信号ケーブル４の高周波ノイズ電位は高くなる。このノイズを速やかにアースに流すため、入口側のコネクタの外側部を、高周波ノイズバイパス用のコンデンサ25で現場盤７に接地する。
【００３２】
このため、外来ノイズは、従来に比較し、非常にコンパクトなフェライトコアボックス８により、効率よく高周波ノイズを現場盤７内に放射することなくノイズを低減する。信号は従来例と同様、現場盤７内の信号増幅器10で増幅され、次段の信号処理器11で信号処理され光信号に変換され、光ケーブル12から制御盤（図示せず）に伝送され、所定のレベルを超えた場合警報が発生する。
【００３３】
ノイズカットトランス17の１次側のＮＦＢ20、端子台21は現場盤７内にノイズを照射しないよう電気的に遮蔽されている。本実施の形態では、ノイズカットランス17の一次側の盤内機器を金属遮蔽箱28に収納し、ノイズの回り込みを防止し、高利得の回路系への回り込みが低減し、ノイズによる誤信号の発生、誤警報の発生を防止することができる。
【００３４】
【発明の効果】
本発明によれば、盤からの検出器用信号ケーブルの端末部とフェライトコアに巻き込まれた信号ケーブルを金属製フェライトコアボックスに収納することにより、フェライトの前段のノイズが盤内に侵入することを防止できる。また、金属製フェライトコアボックスを盤の内面に接続することにより、フェライト前段のノイズを盤に逃すことができ、高利得の回路系への回り込みが低減し、ノイズによる誤信号の発生、誤警報の発生を防止できる。
【図面の簡単な説明】
【図１】本発明に係る放射線測定装置用ノイズ低減装置の一実施の形態を説明するための一部ブロックで示す縦断面図。
【図２】図１におけるＡ部拡大図。
【図３】従来の放射線測定装置用ノイズ低減装置を説明するための一部ブロックで示す縦断面図。
【符号の説明】
１…仕切壁、２…放射線検出器、３…ガイドパイプ、４…信号ケーブル、５…プルボックス、６…電線管、７…現場盤、８…フェライトコアボックス、９…フェライトコア、９ａ…入口側ケーブル、９ｂ…出口側ケーブル、10…信号増幅器、11…信号処理器、12…光ケーブル、13…低電圧電源、14…専用接地ケーブル、15…専用接地ケーブル端子板、16…ＮＣＴケーブル、17…ノイズカットトランス（ＮＣＴ）、18…一般接地端子板、19…一般接地ケーブル、20…ノーフューズブレーカ（ＮＦＢ）、21…端子台、22…サイズダウン変換コネクタ、23…絶縁板、24…固定板、25…コンデンサ、26…接続用コネクタ、27…絶縁板、28…金属遮蔽箱、29…フレキシブル金属チューブ。
【図１】
0004047025.tif 000002
【図２】
0004047025.tif 000003
【図３】
0004047025.tif 000004